(57)【特許請求の範囲】
【請求項１】
シリンダ本体と、前記シリンダ本体の前端壁を貫通し先端に可動工具が装着された往復動するピストンロッドと、前記シリンダ本体の先端下部から先端側に延設され前記可動工具に対抗する固定工具が装着されたあご部と、前記シリンダ本体内に圧力油を供給してピストンロッドを駆動する油圧ポンプ装置と、前記両工具の上方位置に配設されたワーク飛散防止用のプロテクタとを備えた油圧作動装置において、前記プロテクタは、あご部の先端部に前方側に揺動可能に取り付けた門形状のハンドルに対し、前記両工具の上方位置と上方位置外との間を揺動可能に取り付けられ、前記あご部のハンドル近傍位置には、ハンドルのあご部下側への廻り込みを防止するストッパが設けられていることを特徴とする油圧作動装置。
【請求項２】
プロテクタは、その上方からワークの加工位置を目視可能な透視構造になっていることを特徴とする請求項１記載の油圧作動装置。
【請求項３】
プロテクタは、板面に任意数の開口を設けたものからなることを特徴とする請求項２記載の油圧作動装置。
【請求項４】
プロテクタは、その少なくとも一部に透明部を有することを特徴とする請求項２記載の油圧作動装置。
【発明の詳細な説明】
【０００１】
【発明の属する技術分野】
本発明は、油圧駆動によりワークの切断等を行なう携帯用の油圧作動装置に係り、特に加工時のワークの飛散防止機構を備えた油圧作動装置に関する。
【０００２】
【従来の技術】
従来、油圧駆動によりピストンロッドを作動させる油圧作動装置としては、例えば実願昭５４−１３３６９７号に示されているように、シリンダ室内に往復動可能にピストンおよびロッドを配設し、ピストンを介し前端壁側のシリンダ室内には、戻りばねを配設するとともに、ピストンを介し後端壁側のシリンダ室内には、油槽内の油を油圧ポンプ装置により加圧して供給するようにしたものが知られている。
【０００３】
そして、このような油圧作動装置においては、ピストンロッドの先端に、作業の目的に応じカッタ、穴明けポンチ、曲げ加工用アーム等の工具が装着されるようになっており、油圧ポンプ装置からの高圧油を、後端壁側のシリンダ室内に供給することにより、ピストンロッドが前進して切断作業、穴明け、曲げ加工等が行なわれるとともに、その後油圧ポンプ装置を停止することにより、戻りばねによりピストンロッドが後退するようになっている。
【０００４】
【発明が解決しようとする課題】
ところで、この種の油圧作動装置にカッタを装着してワークの切断作業を行なう場合、ワークが硬い鉄筋等でしかも切断寸法が短い場合には、ワークの切断片が飛散して作業員が怪我をするおそれがある。
【０００５】
ところが、従来の油圧作業装置には、飛散したワークの切断片をプロテクトする手段が設けられていないため、作業員はプロテクタを装着するか、顔を背けた状態で作業を行なわなければならず、作業が容易でないとともに、高精度な加工が期待できないという問題がある。
【０００６】
なお、このような問題は、ワークの切断の際に最も発生し易いが、穴明け等の他の加工の際にも発生するおそれがある。
【０００７】
本発明は、このような点を考慮してなされたもので、プロテクタを設けることにより、ワーク加工時にワークの切断片等が飛散した場合であっても、作業の安全性を確保することができる油圧作動装置を提供することを目的とする。
【０００８】
本発明の他の目的は、プロテクタの作業位置へのセットおよび作業後のセット解除が容易な油圧作動装置を提供するにある。
【０００９】
本発明の他の目的は、装置を安全かつバランスよく運搬することができる油圧作動装置を提供するにある。
【００１０】
本発明の他の目的は、プロテクタを作業位置にセットした状態であっても、ワークの加工位置合わせ等を容易に行なうことができる油圧作動装置を提供するにある。
【００１１】
本発明の他の目的は、簡単な構造で充分なプロテクタの透視性能を得ることができる油圧作動装置を提供するにある。
【００１２】
本発明のさらに他の目的は、ワークの飛散片がどのように小形であっても、確実にプロテクトして作業の安全を確保することができる油圧作動装置を提供するにある。
【００１３】
前記目的を達成するため本発明は、シリンダ本体と、前記シリンダ本体の前端壁を貫通し先端に可動工具が装着された往復動するピストンロッドと、前記シリンダ本体の先端下部から先端側に延設され前記可動工具に対抗する固定工具が装着されたあご部と、前記シリンダ本体内に圧力油を供給してピストンロッドを駆動する油圧ポンプ装置と、前記両工具の上方位置に配設されたワーク飛散防止用のプロテクタとを備えた油圧作動装置において、前記プロテクタは、あご部の先端部に前方側に揺動可能に取り付けた門形状のハンドルに対し、前記両工具の上方位置と上方位置外との間を揺動可能に取り付けられ、前記あご部のハンドル近傍位置には、ハンドルのあご部下側への廻り込みを防止するストッパが設けられていることを特徴とする。これにより本発明によれば、ハンドルを揺動させるだけで、プロテクタの作業位置へのセット及び作業後のセット解除を行うことができ、作業性を向上させることができると共に、ハンドルを装置運搬用のハンドルとして利用し、装置を完全かつバランスよく運搬することができるなどの優れた効果を奏する。
【００１８】
本発明はまた、プロテクタを、その上方からワークの加工位置を目視可能な透視構造としたことを特徴とする。そしてこれにより、プロテクタを作業位置にセットしたままで、ワークの加工位置を目視することができ、ワークの加工位置合わせ等を容易に行なうことが可能となる。
【００１９】
本発明はまた、プロテクタが、板面に任意数の開口を設けたものからなることを特徴とする。そしてこれにより、簡単な構造でプロテクタに充分な透視性能を与えることが可能となる。
【００２０】
本発明はさらに、プロテクタが、その少なくとも一部に透明部を有することを特徴とする。そしてこれにより、ワークの飛散片がどのように小形であっても確実にプロテクトでき作業の安全性を確保することが可能となる。
【００２１】
【発明の実施の形態】
以下、本発明の実施の一形態を図面を参照して説明する。
図１ないし図３は、本発明に係る油圧作動装置の一例を示すもので、図中、符号１は電動モータであり、この電動モータ１の先端側には、油圧ポンプ装置２を介してシリンダ本体３が連結され、油圧ポンプ装置２は、電動モータ１の駆動により圧力油を発生するようになっている。
【００２２】
シリンダ本体３は、その内部にシリンダ室（図示せず）が形成されており、このシリンダ室内にはピストン（図示せず）が往復動可能に配設され、ピストンロッド４はシリンダ室の前端壁５を貫通して先端側に突出している。そして、このピストンロッド４の先端部には、可動工具としての可動カッタ６が着脱交換可能に取付けられている。
【００２３】
前端壁５の下端部からは、あご部７が先端側に突出しており、その先端部には、可動カッタ６に対向する固定工具としての固定カッタ８が着脱交換可能に取付けられている。そして、硬い鉄筋等のワーク９は、前記両カッタ６，８の間で切断されるようになっている。
【００２４】
これら両カッタ６，８の上方位置には、プロテクタ１０が配設されており、ワーク９の切断時にその切断片が飛散した場合であっても、飛散した切断片をこのプロテクタ１０に衝突させて作業者の安全を確保できるようになっている。
【００２５】
すなわち、あご部７の先端部には、門形状をなすハンドル１１が取付ねじ１２を介し取付けられ、図１に実線で示すセット位置と、図１に鎖線で示す傾倒位置との間で揺動可能となっている。あご部７のハンドル１１近傍位置には、ハンドル１１をあご部７の先端側に傾倒させた際にハンドル１１の下端部を当接させて、ハンドル１１のあご部７下側への廻り込みを防止するためのストッパ１３が設けられている。そして、前記プロテクタ１０は、このハンドル１１に取付けられ、図１に実線で示すセット位置と、図１に鎖線で示すセット解除位置との間で位置移動できるようになっている。
【００２６】
プロテクタ１０は、両端の嵌入部１４ａがハンドル１１に設けた嵌入孔１１ａに嵌入され、ハンドル１１に対し一定範囲で揺動可能なプロテクタ枠１４と、このプロテクタ枠１４に固着された、例えばメッシュ状のプロテクタ本体１５とで構成されている。このプロテクタ本体１５は、その板面に有する多数の開口によりワーク９の切断位置を上面側から目視可能な透視構造となっている。そしてこれにより、プロテクタ１０を設けた場合であっても作業性が悪くなるのを防止できる。
【００２７】
一方、油圧ポンプ装置２とシリンダ本体３の前端壁５との間には、本体ハンドル１６が取付けられており、また油圧ポンプ装置２の下端部には、ワーク９切断部の作業安定性を向上させるための脚部１７が設けられている。
【００２８】
次に、本実施の形態の作用について説明する。
ワーク９の切断に際しては、まずハンドル１１をあご部７の先端側に傾倒させ、図１に鎖線で示すように、傾倒させたハンドル１１の上面側にプロテクタ本体１５を配置する。この状態では、ハンドル１１の端部がストッパ１３に下面側から接触しているので、本体ハンドル１６を把持して装置を持ち上げても、ハンドル１１があご部７の下側に廻り込むことがない。
【００２９】
このように、ハンドル１１をあご部７の先端側に傾倒させると、両カッタ６，８の上方が完全に開放されるので、この状態でワーク９を両カッタ６，８の間にセットする。そしてその後、ハンドル１１およびプロテクタ１０を、図１に実線で示すセット位置に戻す。これにより、両カッタ６，８の上方位置がプロテクタ１０によってプロテクトされる。そして続いて、電動モータ１を駆動し、ピストンロッド４を前進移動させることにより、ワーク９の切断を行う。
【００３０】
このように、プロテクタ１０を配設したことにより、ワーク９の切断時にワーク９の切断片が飛散した場合であっても、飛散した切断片がプロテクタ１０に衝突し、作業の安全を確保することができる。またその際、プロテクタ１０はハンドル１１に対し揺動できるようになっているので、ワーク９の切断片がプロテクタ１０に衝突した際の衝撃がプロテクタ１０の揺動により吸収され、ワーク９の切断片がプロテクタ１０に衝突した後、強い力で躍ね返されるといった危険もない。
【００３１】
また、プロテクタ１０は、ハンドル１１のあご部７先端側への傾倒により、両カッタ６，８上方のセット位置から、これを外れたセット解除位置まで移動させることができるようになっているので、プロテクタ１０を設けたことによって作業性が悪くなるといった不具合もない。
【００３２】
また、プロテクタ１０は、両カッタ６，８の上方にセットした状態であっても、ワーク９の切断位置を目視確認できる透視構造となっているので、ワーク９の切断位置の位置合わせ等を容易に行なうことができる。
【００３３】
また、ハンドル１１は、装置運搬時のハンドルを兼ねる構造となっているので、本体ハンドル１６とハンドル１１との両方を把持して装置を運搬することができ、これにより装置を安全かつバランスよく運搬することができる。
【００３４】
なお、前記実施の一形態においては、メッシュ状のプロテクタ本体１５を用いることによりワーク９の切断位置をプロテクタ１０の上方から目視確認できるようにする場合について説明したが、強化プラスチック製等の透明板を用いて目視確認できるようにしてもよい。そしてこの場合、プロテクタ本体１５全体を透明板で構成する必要はなく、ワーク９の切断位置を確認できる範囲にのみ、透明板を装着するようにしてもよい。これはメッシュ状のプロテクタ本体１５の場合も同様である。
【００３５】
また、前記実施の一形態においては、プロテクタ１０をハンドル１１に取付ける場合について説明したが、例えばプロテクタ枠１４の嵌入部１４ａを内側に折り曲げてあご部７に直接枢着し、プロテクタ１０が図１に実線で示す位置と垂直状に立てた位置との間で揺動するような構造にしてもよく、またプロテクタ１０が図１に実線で示す状態から水平に回動するような構造にしてもよい。また、プロテクタ１０をあご部７に対し着脱することができる構造にしてもよい。
【００３６】
また、前記実施の一形態においては、両カッタ６，８を用いてワーク９を切断する油圧作動装置について説明したが、ワーク９の穴明け等を行なう油圧作動装置にも同様に適用でき、同様の効果が期待できる。
【００３７】
【発明の効果】
以上説明したように本発明は、両工具の上方位置に、ワーク飛散防止用のプロテクタを配設するようにしているので、例えば硬い鉄筋等を短い寸法で切断した際に切断片が飛散した場合であっても、飛散した切断片がプロテクタに衝突して作業者の方に飛散して来ることはなく、作業の安全性を確保することができる。
【００３８】
本発明はまた、プロテクタを、両工具の上方位置外に移動させることができるようにしているので、ワークを両工具間に容易にセットすることができ、プロテクタを設けたことによって作業性が悪くなるといった不具合がない。
【００３９】
本発明はまた、プロテクタを、装置側に揺動可能に取付けられたハンドルに取付けることにより、両工具の上方位置外に移動させることができるようにしているので、ハンドルを揺動させるだけで、プロテクタの作業位置へのセットおよび作業後のセット解除を行なうことができ、作業性を向上せさることができる。
【００４０】
本発明はまた、ハンドルを、あご部の先端に取付けてあご部の先端側に傾倒させることができるようにしているので、プロテクタを両工具の上方位置外に完全に移動させることができるととともに、ハンドルを装置運搬用のハンドルとして利用し、装置を完全かつバランスよく運搬することができる。
【００４１】
本発明はまた、装置側のハンドル近傍位置に、ハンドルのあご部下側への廻り込みを防止するストッパを設けるようにしているので、ハンドルをあご部の先端側に傾倒させた状態で装置を持ち上げても、ハンドルがあご部の下側に廻り込むことがなく、作業性を向上させることができる。
【００４２】
本発明はまた、プロテクタを、その上方から少なくともワークの加工位置を目視可能な透視構造としているので、プロテクタを作業位置にセットしたままで、ワークの加工位置を目視することができ、ワークの加工位置合わせ等を容易に行なって加工精度を向上させることができる。
【００４３】
本発明はまた、プロテクタを、その板面に任意数の開口を設けることにより透視構造とするようにしているので、簡単な構造でプロテクタに充分な透視性能を与えることができる。
【００４４】
本発明はさらに、プロテクタを、その少なくとも一部に透明部を取付けることにより透視構造とするようにしているので、ワークの飛散片がどのように小形であっても確実にプロテクトでき、作業の安全性を確保することができる。
【図面の簡単な説明】
【図１】本発明実施の一形態に係る油圧作動装置を示す斜視図。
【図２】図１と同様の側面図。
【図３】プロテクタおよびハンドルを装置側から取外した状態を示す分解斜視図。
【符号の説明】
１  電動モータ
２  油圧ポンプ装置
３  シリンダ本体
４  ピストンロッド
５  前端壁
６  可動カッタ
７  あご部
８  固定カッタ
９  ワーク
１０  プロテクタ
１１  ハンドル
１１ａ  嵌入孔
１３  ストッパ
１４  プロテクタ枠
１４ａ  嵌入部
１５  プロテクタ本体
１６  本体ハンドル
【図１】
0003936020.tif 000002
【図２】
0003936020.tif 000003
【図３】
0003936020.tif 000004